【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
食道の近くに位置する組織または筋壁の欠損を修復するための移植可能なプロテーゼであって、
組織および器官との癒着形成の影響を受けやすい修復用繊維の層と、
組織および器官との癒着形成を阻止する表面バリアと、
組織および器官との癒着形成を阻止する少なくとも１つの端バリアと、を備え、
前記修復用繊維の層は、第１および第２の表面と、当該第１の表面から当該第２の表面まで延在する少なくとも１つの繊維端と、を有し、
前記第１の表面は、当該移植可能なプロテーゼが患者内で前記食道近くに位置しているとき、前記組織または筋壁の欠損に面するように構成され、
前記第２の表面は、前記組織または筋壁の欠損から離れ、かつ前記患者の中空臓器の方へ面するように構成され、
前記修復用繊維の層は、前記食道を受け入れるように構成された開口を有し、
前記表面バリアは、前記修復用繊維の層の前記第２の表面の少なくとも一部分上に配置され、当該移植可能なプロテーゼが前記患者内に位置しているとき、前記第２の表面の部分と隣接組織および器官との癒着形成を阻止し、
前記少なくとも１つの端バリアは、前記少なくとも１つの繊維端の少なくとも一部分の周囲に延在し、当該少なくとも１つの繊維端の部分と隣接組織および器官との癒着形成を阻止する、移植可能なプロテーゼ。
【請求項２】
前記少なくとも１つの繊維端は、前記繊維の層の前記開口を画定する開口端を有し、
前記少なくとも１つの端バリアは、前記開口端の周囲に延在し、当該開口端と前記食道との間の癒着形成を阻止する開口端バリアを有する、請求項１に記載の移植可能なプロテーゼ。
【請求項３】
前記開口端バリアは、前記開口端を覆う少なくとも１つのバリア層を有する、請求項２に記載の移植可能なプロテーゼ。
【請求項４】
前記少なくとも１つのバリア層は、前記開口に隣接した前記第２の表面の部分へさらに延在する、請求項３に記載の移植可能なプロテーゼ。
【請求項５】
前記少なくとも１つのバリア層は、前記開口に隣接した前記第１の表面の部分へさらに延在する、請求項４に記載の移植可能なプロテーゼ。
【請求項６】
前記開口端バリアは、前記開口端の周囲に包まれている前記表面バリアの整拡大である、請求項５に記載の移植可能なプロテーゼ。
【請求項７】
前記少なくとも１つのバリア層は、第１および第２のバリア層を有し、
前記第１のバリア層は、前記開口に隣接した前記第１の表面の縁に配置され、前記開口端を越えて延在し、
前記第２のバリア層は、前記開口に隣接した前記第２の表面の縁に配置され、前記開口端を越えて延在して前記第１のバリア層を覆い、
前記開口端を越えて延在する前記第１および第２のバリア層の部分は、互いに直接付着されて前記開口端を分離する、請求項３ないし６のいずれか一項に記載の移植可能なプロテーゼ。
【請求項８】
前記少なくとも１つの繊維端は、外側周辺端をさらに有し、
前記少なくとも１つの端バリアは、前記外側周辺端の少なくとも一部の周囲に延在する外側端バリアをさらに有し、前記外側周辺端の部分と隣接組織または器官との間の癒着形成を阻止する、請求項２ないし７のいずれか一項に記載の移植可能なプロテーゼ。
【請求項９】
前記開口端バリアは、約２．５ｃｍ〜約４．５ｃｍの直径を有するプロテーゼ開口を画定する、請求項２ないし８のいずれか一項に記載の移植可能なプロテーゼ。
【請求項１０】
前記プロテーゼ開口は、約２．５ｃｍ〜約３．５ｃｍの直径を有する、請求項９に記載の移植可能なプロテーゼ。
【請求項１１】
前記プロテーゼ開口は、約３．５ｃｍ〜約４．５ｃｍの直径を有する、請求項９に記載の移植可能なプロテーゼ。
【請求項１２】
前記少なくとも１つの端バリアは、前記繊維端に隣接した前記第１の表面の縁から前記繊維端に隣接した前記第２の表面の縁までの前記少なくとも１つの繊維端の周囲を包むバリア層を有する、請求項１に記載の移植可能なプロテーゼ。
【請求項１３】
前記少なくとも１つの繊維端は、外側周辺端を有し、
前記少なくとも１つの端バリアは、前記外側周辺端の少なくとも一部の周囲に延在する外側端バリアを有し、前記外側周辺端の部分と隣接組織または器官との間の癒着形成を阻止する、請求項１に記載の移植可能なプロテーゼ。
【請求項１４】
前記外側端バリアは、それに対する前記癒着形成を阻止するように変更された前記修復用繊維の層の一部を有する、請求項１３に記載の移植可能なプロテーゼ。
【請求項１５】
前記少なくとも１つの繊維端は、外側端と、前記開口から前記外側端まで延在する一対のスリット端と、を有し、
前記少なくとも１つの端バリアは、前記スリット端のそれぞれの部分の周囲に配置されたスリットバリアを有する、請求項１に記載の移植可能なプロテーゼ。
【請求項１６】
前記スリットバリアは、それに対する前記癒着形成を阻止するように変更された各スリット端に沿った前記修復用繊維の層の部分を有する、請求項１５に記載の移植可能なプロテーゼ。
【請求項１７】
前記修復用繊維の層は、組織内方成長を可能にするように構成され且つ配置された複数の隙間を有する、請求項１ないし１６のいずれか一項に記載の移植可能なプロテーゼ。
【請求項１８】
前記修復用繊維の層は、外側周辺端と、前記開口から前記外側周辺端まで延在するアクセス路と、を有する、請求項１に記載の移植可能なプロテーゼ。
【請求項１９】
前記修復用繊維の層は、長軸と短軸とを有する楕円形を有し、
前記修復用繊維の層は、前記短軸の周囲で非対称であり、かつ偏平の先端と尖った先端とを有する、請求項１ないし１８のいずれか一項に記載の移植可能なプロテーゼ。
【請求項２０】
前記開口が、前記長軸に沿って、かつ前記短軸と前記尖った先端との間に位置している中心を有する、請求項１９に記載の移植可能なプロテーゼ。
【請求項２１】
前記修復用繊維の層は、外側周辺端と、前記開口から前記外側周辺端まで延在するアクセス路と、を有する、請求項２０に記載の移植可能なプロテーゼ。
【請求項２２】
前記アクセス路は、前記尖った先端に位置している、請求項２１に記載の移植可能なプロテーゼ。
【請求項２３】
前記修復用繊維の層は、ポリプロピレンメッシュおよびＰＴＦＥメッシュの１つで形成されている、請求項１ないし２２のいずれか一項に記載の移植可能なプロテーゼ。
【請求項２４】
前記少なくとも１つの端バリアは、ｅＰＴＦＥで形成されている、請求項１ないし２３のいずれか一項に記載の移植可能なプロテーゼ。
【請求項２５】
前記表面バリアが、ｅＰＴＦＥで形成されている、請求項１ないし２４のいずれか一項に記載の移植可能なプロテーゼ。
【請求項２６】
前記開口は、当該移植可能なプロテーゼが前記食道裂孔の近くに配置されると前記食道を完全に取り囲むように構成されている完全開口である、請求項１ないし２５のいずれか一項に記載の移植可能なプロテーゼ。
【請求項２７】
前記開口は、当該移植可能なプロテーゼが前記食道裂孔の近くに配置されると前記食道を部分的に取り囲むように構成されている部分的開口である、請求項１ないし２５のいずれか一項に記載の移植可能なプロテーゼ。
【請求項２８】
前記修復用繊維の層は、部分的輪形を有する、請求項２７に記載の移植可能なプロテーゼ。
【請求項２９】
前記修復用繊維の層は、Ｃ字状である、請求項２７に記載の移植可能なプロテーゼ。
【請求項３０】
前記表面バリアは、前記第２の表面の略全体上に配置されている、請求項１ないし２９のいずれか一項に記載の移植可能なプロテーゼ。
【請求項３１】
管状構造物の近くに位置した組織または筋壁の欠損を修復するための移植可能なプロテーゼであって、
組織または筋壁の欠損に隣接して配置されるように構成され且つ配置された本体部を備え、
前記本体部は、外側周辺と、前記管状構造物を受け入れるように構成されている開口と、を有し、
前記本体部は、組織および器官との癒着形成の影響を受けやすい修復用繊維の層と、前記癒着形成を阻止する表面バリアと、を備え、
前記修復用繊維の層は、第１および第２の表面と、前記第１の表面から前記第２の表面まで延在する少なくとも１つの繊維端と、を有し、
前記第１の表面は、当該移植可能なプロテーゼが患者内で前記管状構造物の近くに位置しているとき、前記組織または筋壁の欠損に面するように構成され、
前記修復用繊維の層は、前記開口から前記外側周辺まで延在する第１のスリットを有し、前記開口に前記管状構造物を受け入れ、
前記表面バリアは、前記修復用繊維の層の前記第２の表面に配置され、当該移植可能なプロテーゼが前記患者内に位置しているとき、前記第２の表面上での癒着形成を阻止し、
前記表面バリアは、前記開口から前記外側周辺まで延在する第２のスリットを有し、前記開口で前記管状構造を受け入れ、
前記第２のスリットは、前記第１のスリットからオフセットされ、
前記第２のスリットは、前記修復用繊維の層の一部分を覆い、
前記第１のスリットは、前記表面バリアの一部分を覆っている、移植可能なプロテーゼ。
【請求項３２】
前記本体部は、組織および器官との前記癒着形成を阻止する少なくとも１つの端バリアを有し、
前記少なくとも１つの端バリアは、前記少なくとも１つの繊維端の部分と隣接組織および器官との前記癒着形成を阻止する前記少なくとも１つの繊維端の少なくとも一部分の周囲に延在する、請求項３１に記載の移植可能なプロテーゼ。
【請求項３３】
前記少なくとも１つの端バリアは、ｅＰＴＦＥで形成されている、請求項３２に記載の移植可能なプロテーゼ。
【請求項３４】
前記少なくとも１つの端バリアは、前記繊維端に隣接した前記第１の表面の縁から前記繊維端に隣接した前記第２の表面の縁まで前記少なくとも１つの繊維端の周囲を包むバリア層を有する、請求項３２又は３３に記載の移植可能なプロテーゼ。
【請求項３５】
前記少なくとも１つの繊維端は、前記開口を形成する開口端を有し、
前記少なくとも１つの端バリアは、前記開口端の周囲に延在し、前記開口端と前記管状構造物との間の前記癒着形成を阻止する開口端バリアを有する、請求項３２ないし３４のいずれか一項に記載の移植可能なプロテーゼ。
【請求項３６】
前記少なくとも１つの繊維端は、外側周辺端を有し、
前記少なくとも１つの端バリアは、前記外側周辺端の少なくとも一部分の周囲に延在し、前記外側周辺端の部分と隣接組織または器官との間の前記癒着形成を阻止する外側端バリアを有する、請求項３２ないし３５のいずれか一項に記載の移植可能なプロテーゼ。
【請求項３７】
前記本体部は、長軸と短軸とを有する楕円形を有し、
前記本体部は、前記短軸の周囲で非対称であり、かつ偏平の先端と尖った先端とを有する、請求項３１ないし３６のいずれか一項に記載の移植可能なプロテーゼ。
【請求項３８】
前記開口は、前記長軸に沿って、かつ前記短軸と前記尖った先端との間に位置している中心を有する、請求項３７に記載の移植可能なプロテーゼ。
【請求項３９】
前記修復用繊維の層は、組織内方成長を可能にするように構成されかつ配置されている複数の隙間を有する、請求項３１ないし３８のいずれか一項に記載の移植可能なプロテーゼ。
【請求項４０】
前記修復用繊維の層は、ポリプロピレンメッシュおよびＰＴＦＥメッシュの１つで形成されている、請求項３１ないし３９のいずれか一項に記載の移植可能なプロテーゼ。
【請求項４１】
前記表面バリアは、ｅＰＴＦＥで形成されている、請求項３１ないし４０のいずれか一項に記載の移植可能なプロテーゼ。
【請求項４２】
前記本体部は、患者の食道に隣接して設置されるように構成されかつ配置され、
前記開口は、前記食道を受け入れるように構成されている、請求項３１ないし４１のいずれか一項に記載の移植可能なプロテーゼ。
【請求項４３】
前記開口は、約２．５ｃｍ〜約４．５ｃｍの直径を有する、請求項３１ないし４２のいずれか一項に記載の移植可能なプロテーゼ。
【請求項４４】
前記開口は、約２．５ｃｍ〜約３．５ｃｍの直径を有する、請求項４３に記載の移植可能なプロテーゼ。
【請求項４５】
前記開口は、約３．５ｃｍ〜約４．５ｃｍの直径を有する、請求項４３に記載の移植可能なプロテーゼ。
【請求項４６】
管状構造物の近くに位置した組織または筋壁の欠損を修復するための移植可能なプロテーゼであって、
組織または筋壁の欠損に隣接して配置されるように構成され且つ配置された本体部を備え、
前記本体部は、外側周辺と、前記管状構造物を受け入れるように構成されている開口と、を有し、
前記本体部は、組織および器官との癒着形成の影響を受けやすい修復用繊維の層と、当該移植可能なプロテーゼが患者内に位置しているとき前記修復用繊維の層の選択部分上での前記癒着形成を阻止する複数のバリアと、を備え、
前記修復用繊維の層は、第１および第２の表面を有し、
前記第１の表面は、当該移植可能なプロテーゼが患者内で前記管状構造物の近くに位置しているとき、前記組織または筋壁の欠損に面するように構成され、
前記修復用繊維の層は、外側周辺端と開口端とを有し、
前記外側周辺端は、前記外側周辺に沿って前記第１の表面から前記第２の表面まで延在し、
前記開口端は、前記開口に沿って前記第１の表面から前記第２の表面まで延在し、
前記複数のバリアは、前記修復用繊維の層の前記第２の表面の少なくとも一部分上に配置された表面バリアと、前記修復用繊維の層の前記外側周辺端の少なくとも一部分に沿って配置された周辺端バリアと、前記修復用繊維の層の前記開口端の少なくとも一部分に沿って配置された開口端バリアと、を有する、移植可能なプロテーゼ。
【請求項４７】
前記表面バリアは、前記第２の表面の略全体に配置されている、請求項４６に記載の移植可能なプロテーゼ。
【請求項４８】
前記周辺端バリアは、前記外側周辺端の略全体に沿って延在する、請求項４６又は４７に記載の移植可能なプロテーゼ。
【請求項４９】
前記開口端バリアが、前記開口端の略全体に沿って延在する、請求項４６ないし４８のいずれか一項に記載の移植可能なプロテーゼ。
【請求項５０】
前記開口端バリアは、前記開口端に隣接した前記第１の表面の縁から前記開口端に隣接した前記第２の表面の縁まで前記開口端の周囲を包むバリア層を有する、請求項４６ないし４９のいずれか一項に記載の移植可能なプロテーゼ。
【請求項５１】
前記修復用繊維の層は、前記開口から前記外側周辺まで延在し、前記開口に前記管状構造物を受け入れるスリットを有し、
前記修復用繊維の層は、前記スリットに沿って前記第１の表面から前記第２の表面まで延在するスリット端を有し、
前記複数のバリアは、前記修復用繊維の層の前記スリット端の少なくとも一部分に沿って配置されたスリット端バリアを有する、請求項４６ないし５０のいずれか一項に記載の移植可能なプロテーゼ。
【請求項５２】
前記本体部は、長軸と短軸とを有する楕円形を有し、
前記本体部は、前記短軸の周囲で非対称であり、かつ偏平の先端と尖った先端とを有する、請求項４６ないし５１のいずれか一項に記載の移植可能なプロテーゼ。
【請求項５３】
前記開口は、前記長軸に沿って、かつ前記短軸と前記尖った先端との間に位置している中心を有する、請求項５２に記載の移植可能なプロテーゼ。
【請求項５４】
前記修復用繊維の層は、組織内方成長を可能にするように構成され且つ配置されている複数の隙間を有する、請求項４６ないし５３のいずれか一項に記載の移植可能なプロテーゼ。
【請求項５５】
前記修復用繊維の層は、ポリプロピレンメッシュおよびＰＴＦＥメッシュの１つで形成されている、請求項４６ないし５４のいずれか一項に記載の移植可能なプロテーゼ。
【請求項５６】
前記表面バリアは、ｅＰＴＦＥで形成されている、請求項４６ないし５５のいずれか一項に記載の移植可能なプロテーゼ。
【請求項５７】
前記開口端バリアは、ｅＰＴＦＥで形成されている、請求項４６ないし５６のいずれか一項に記載の移植可能なプロテーゼ。
【請求項５８】
前記本体部は、患者の食道に隣接して設置されるように構成され且つ配置され、
前記開口は、前記食道を受け入れるように構成されている、請求項４６ないし５８のいずれか一項に記載の移植可能なプロテーゼ。
【請求項５９】
前記開口は、約２．５ｃｍ〜約４．５ｃｍの直径を有する、請求項４６ないし５８のいずれか一項に記載の移植可能なプロテーゼ。
【請求項６０】
前記開口は、約２．５ｃｍ〜約３．５ｃｍの直径を有する、請求項５９に記載の移植可能なプロテーゼ。
【請求項６１】
前記開口は、約３．５ｃｍ〜約４．５ｃｍの直径を有する、請求項５９に記載の移植可能なプロテーゼ。
【請求項６２】
管状構造物の近くに位置した組織または筋壁の欠損を修復するための移植可能なプロテーゼであって、
外側周辺を有すると共に前記管状構造物を受け入れるように構成されている開口をその中に有するプロテーゼ修復用繊維を備え、
前記プロテーゼ修復用繊維は、第１および第２のセグメントを有し、
前記第１および第２のセグメントのそれぞれは、組織および器官との癒着形成の影響を受けやすい繊維の層を有し、
前記第１および第２のセグメントのそれぞれは、第１および第２の先端を有し、
前記第１のセグメントの前記第１の先端は、第１の重ね合わせ領域で前記第２のセグメントの前記第１の先端を覆い、
前記第１のセグメントの前記第２の先端は、第２の重ね合わせ領域で前記第２のセグメントの前記第２の先端を覆い、
前記第１のセグメントは、前記第１の重ね合わせ領域と前記第２の重ね合わせ領域との間で第１の中央部を有し、
前記第２のセグメントは、前記第１の重ね合わせ領域と前記第２の重ね合わせ領域との間で第２の中央部を有し、
前記第１および第２の中央部のそれぞれは、約９０度よりも大きい前記プロテーゼ修復用繊維の前記外側周辺の一部分を形成する、移植可能なプロテーゼ。
【請求項６３】
前記第１および第２の中央部のそれぞれは、約１２０度以上である前記プロテーゼ修復用繊維の前記外側周辺の一部を形成する、請求項６２に記載の移植可能なプロテーゼ。
【請求項６４】
前記第１および第２の中央部のそれぞれは、約１７０度以上である前記プロテーゼ修復用繊維の前記外側周辺の一部を形成する、請求項６３に記載の移植可能なプロテーゼ。
【請求項６５】
前記第１および第２のセグメントのそれぞれは、組織および器官との前記前記癒着形成を阻止する表面バリアを有し、
前記表面バリアは、前記繊維の層の表面上に配置されて、当該移植可能なプロテーゼが患者内に設置されるとき前記表面と隣接組織および器官との間の前記癒着形成を阻止する、請求項６２ないし６４のいずれか一項に記載の移植可能なプロテーゼ。
【請求項６６】
前記第１および第２の重ね合わせ領域の少なくとも１つは、前記繊維の層並びに前記第１および第２のセグメントの少なくとも１つの前記表面バリアの１つが含まれていない、請求項６５に記載の移植可能なプロテーゼ。
【請求項６７】
前記表面バリアは、ｅＰＴＦＥで形成されている、請求項６５又は６６に記載の移植可能なプロテーゼ。
【請求項６８】
前記第１および第２のセグメントのそれぞれは、少なくとも１つの繊維端を有し、
前記第１および第２のセグメントのそれぞれは、組織および器官との前記癒着形成を阻止する少なくとも１つの端バリアを有し、
前記少なくとも１つの端バリアは、前記少なくとも１つの繊維端の少なくとも一部分の周囲に延在して、前記少なくとも１つの繊維端の前記部分と隣接組織および器官との間の前記癒着形成を阻止する、請求項６２ないし６７のいずれか一項に記載の移植可能なプロテーゼ。
【請求項６９】
前記少なくとも１つの端バリアは、前記繊維端に隣接した前記第１の表面の縁から前記繊維端に隣接した前記第２の表面の縁までの前記少なくとも１つの繊維端の周囲を包むバリア層を有する、請求項６８に記載の移植可能なプロテーゼ。
【請求項７０】
前記少なくとも１つの繊維端は、前記開口の一部分を形成する開口端を有し、
前記少なくとも１つの端バリアは、前記開口端の周囲に延在して、前記開口端と前記管状構造物との間の前記癒着形成を阻止する開口端バリアを有する、請求項６８又は６９に記載の移植可能なプロテーゼ。
【請求項７１】
前記少なくとも１つの繊維端は、外側周辺端を有し、
前記少なくとも１つの端バリアは、前記外側周辺端の少なくとも一部分の周囲に延在して、前記外側周辺端の前記部分と隣接組織または器官との間の前記癒着形成を阻止する外側端バリアを有する、請求項６８ないし７０のいずれか一項に記載の移植可能なプロテーゼ。
【請求項７２】
前記少なくとも１つの端バリアは、ｅＰＴＦＥで形成されている、請求項６８ないし７１のいずれか一項に記載の移植可能なプロテーゼ。
【請求項７３】
前記第１および第２のセグメントのそれぞれは、部分的な環状を有する、請求項６２ないし７２のいずれか一項に記載の移植可能なプロテーゼ。
【請求項７４】
前記プロテーゼ修復用繊維は、長軸および短軸を有する楕円形を有し、
前記プロテーゼ修復用繊維は、前記短軸の周囲で非対称であり、かつ偏平の先端と尖った先端とを有する、請求項６２ないし７３のいずれか一項に記載の移植可能なプロテーゼ。
【請求項７５】
前記開口は、前記長軸に沿って、かつ前記短軸と前記尖った先端との間に位置している中心を有する、請求項７４に記載の移植可能なプロテーゼ。
【請求項７６】
前記修復用繊維の層は、組織内方成長を可能にするように構成され且つ配置されている複数の隙間を有する、請求項６２ないし７５のいずれか一項に記載の移植可能なプロテーゼ。
【請求項７７】
前記修復用繊維の層は、ポリプロピレンメッシュおよびＰＴＦＥメッシュの１つで形成されている、請求項６２ないし７６のいずれか一項に記載の移植可能なプロテーゼ。
【請求項７８】
前記本体部が、患者の食道に隣接して配置されるように構成され且つ配置され、
前記開口は、前記食道を受け入れるように構成されている、請求項６２ないし７７のいずれか一項に記載の移植可能なプロテーゼ。
【請求項７９】
前記プロテーゼ修復用繊維は、平面構成を有する、請求項６２ないし７８のいずれか一項に記載の移植可能なプロテーゼ。
【請求項８０】
管状構造物の近くに位置した組織または筋壁の欠損を修復するための移植可能なプロテーゼであって、
前記管状構造物を受け入れるように構成されている開口を有するプロテーゼ修復用繊維を備え、
前記プロテーゼ修復用繊維は、第１および第２のセグメントを有し、
前記第１および第２のセグメントのそれぞれは、組織および器官との癒着形成の影響を受けやすい修復用繊維の層と、組織および器官との前記癒着形成を阻止する表面バリアと、を有し、
前記表面バリアは、前記修復用繊維の層の表面上に配置され、
前記第１および第２のセグメントのそれぞれは、第１および第２の先端を有し、
前記第１のセグメントの前記第１の先端は、第１の重ね合わせ領域で前記第２のセグメントの前記第１の先端を覆い、
前記第１の重ね合わせ領域は、前記繊維の層並びに前記第１および第２のセグメントの少なくとも１つの表面バリアの１つを含まない、移植可能なプロテーゼ。
【請求項８１】
前記第１の重ね合わせ領域は、前記第１および第２のセグメントの一方の前記繊維の層を含まない、請求項８０に記載の移植可能なプロテーゼ。
【請求項８２】
前記第１の重ね合わせ領域は、前記第１および第２のセグメントの他方の前記表面バリアを含まない、請求項８１に記載の移植可能なプロテーゼ。
【請求項８３】
前記第１および第２のセグメントのそれぞれは、組織および器官との前記癒着形成を阻止する表面バリアを有し、
前記表面バリアは、前記繊維の層の表面上に配置されて、当該移植可能なプロテーゼが患者内に設置されるとき前記表面と隣接組織および器官との前記癒着形成を阻止する、請求項８０に記載の移植可能なプロテーゼ。
【請求項８４】
前記第１および第２のセグメントのそれぞれは、少なくとも１つの繊維端を有し、
前記第１および第２のセグメントのそれぞれは、組織および器官との前記癒着形成を阻止する少なくとも１つの端バリアを有し、
前記少なくとも１つの端バリアは、前記少なくとも１つの繊維端の少なくとも一部分の周囲に延在して、前記少なくとも１つの繊維端の前記部分と隣接組織および器官との間の前記癒着形成を阻止する、請求項８０ないし８３のいずれか一項に記載の移植可能なプロテーゼ。
【請求項８５】
前記少なくとも１つの端バリアは、前記繊維端に隣接した前記第１の表面の縁から前記繊維端に隣接した前記第２の表面の縁までの前記少なくとも１つの繊維端の周囲を包むバリア層を有する、請求項８４に記載の移植可能なプロテーゼ。
【請求項８６】
前記少なくとも１つの繊維端は、前記開口の一部を形成する開口端を有し、
前記少なくとも１つの端バリアは、前記開口端の周囲に延在し、前記開口端と前記管状構造物との間の前記癒着形成を阻止する開口端バリアを有する、請求項８４又は８５に記載の移植可能なプロテーゼ。
【請求項８７】
前記少なくとも１つの繊維端は、外側周辺端を有し、
前記少なくとも１つの端バリアは、前記外側周辺端の少なくとも一部分の周囲に延在して、前記外側周辺端の前記部分と隣接組織または器官との間の前記癒着形成を阻止する外側端バリアを有する、請求項８４ないし８６のいずれか一項に記載の移植可能なプロテーゼ。
【請求項８８】
前記少なくとも１つの端バリアは、ｅＰＴＦＥで形成されている、請求項８４ないし８７のいずれか一項に記載の移植可能なプロテーゼ。
【請求項８９】
前記第１および第２のセグメントのそれぞれは、部分的な環状を有する、請求項８０ないし８８のいずれか一項に記載の移植可能なプロテーゼ。
【請求項９０】
前記プロテーゼ修復用繊維は、長軸および短軸を有する楕円形を有し、
前記プロテーゼ修復用繊維は、前記短軸の周囲で非対称であり、かつ偏平の先端と尖った先端とを有する、請求項８０ないし８９のいずれか一項に記載の移植可能なプロテーゼ。
【請求項９１】
前記開口は、前記長軸に沿って、かつ前記短軸と前記尖った先端との間に位置している中心を有する、請求項９０に記載の移植可能なプロテーゼ。
【請求項９２】
前記修復用繊維の層は、組織内方成長を可能にするように構成され且つ配置されている複数の隙間を有する、請求項８０ないし９１のいずれか一項に記載の移植可能なプロテーゼ。
【請求項９３】
前記修復用繊維の層は、ポリプロピレンメッシュおよびＰＴＦＥメッシュの１つで形成されている、請求項８０ないし９２のいずれか一項に記載の移植可能なプロテーゼ。
【請求項９４】
前記表面バリアは、ｅＰＴＦＥで形成されている、請求項８０ないし９３のいずれか一項に記載の移植可能なプロテーゼ。
【請求項９５】
前記本体部は、患者の食道に隣接して配置されるように構成され且つ配置され、
前記開口は、前記食道を受け入れるように構成されている、請求項８０ないし９４のいずれか一項に記載の移植可能なプロテーゼ。
【請求項９６】
前記プロテーゼ修復用繊維は、平面構成を有する、請求項８０ないし９５のいずれか一項に記載の移植可能なプロテーゼ。